(57)【要約】【課題】データベースに記憶された患者情報を迅速に取り出して、患者情報入力の省力化を図ること。【解決手段】ファイリング装置としての表示装置４において、入力部２０のキーボードなどを操作して患者情報のうちの１つの情報、たとえば氏名または年齢などを入力すると、検索部５１がこの１つの情報に該当する患者情報をデータベース３０から検索して、その検索結果である患者情報の全体の情報をデータベース３０から読み出して表示部４０に表示させるように制御を行う。【選択図】        図２
2007058334.tif 000002
【特許請求の範囲】
【請求項１】
被検者に固有の患者情報のうちの少なくとも１つの情報を入力する入力手段と、
前記患者情報を記憶する記憶手段と、
前記入力手段により入力する患者情報のうちの少なくとも１つの情報を検索条件として、前記記憶手段から該当する前記患者情報を検索する検索手段と、
前記検索手段で検索された前記患者情報を表示する表示手段と、
を備えることを特徴とするファイリング装置。
【請求項２】
前記患者情報を記憶する記憶手段が複数ある場合に、前記患者情報を検索する記憶手段を選択する選択手段を、
さらに備えることを特徴とする請求項１に記載のファイリング装置。
【請求項３】
前記表示手段によって表示された患者情報を確認させるように制御する確認制御手段を、
さらに備えることを特徴とする請求項１または２に記載のファイリング装置。
【請求項４】
前記検索手段は、前記入力手段による患者情報のうちの少なくとも１つの情報の入力中に、所定のタイミングで前記記憶手段から該当する前記患者情報を検索することを特徴とする請求項１〜３のいずれか一つに記載のファイリング装置。
【請求項５】
患者情報のうちの少なくとも１つの情報を入力する第１の入力手段と、前記患者情報を記憶する第１の記憶手段と、前記第１の入力手段により入力する患者情報のうちの少なくとも１つの情報を検索条件として、前記第１の記憶手段から該当する前記患者情報を検索する第１の検索手段と、前記第１の検索手段で検索された前記患者情報を表示する第１の表示手段と、を有する第１のファイリング装置と、
患者情報のうちの少なくとも１つの情報を入力する第２の入力手段と、前記患者情報を記憶する第２の記憶手段と、前記第２の入力手段により入力する患者情報のうちの少なくとも１つの情報を検索条件として、前記第２の記憶手段から該当する前記患者情報を検索する第２の検索手段と、前記患者情報を検索する前記第１または第２の記憶手段を選択する選択手段と、前記選択手段によって選択された前記第１または第２の記憶手段から検索された前記患者情報を表示する第２の表示手段と、を有する第２のファイリング装置と、
前記第１のファイリング装置と前記第２のファイリング装置を電気的に接続させる接続手段と、
を備えることを特徴とするファイリングシステム。
【請求項６】
前記第２の表示手段によって表示された患者情報を確認させるように制御する確認制御手段を、
さらに備えることを特徴とする請求項５に記載のファイリングシステム。
【請求項７】
前記第１および第２の検索手段は、前記第２の入力手段による患者情報のうちの少なくとも１つの情報の入力中に、所定のタイミングで、前記選択手段によって選択された前記第１または第２の記憶手段から該当する前記患者情報を検索することを特徴とする請求項５または６に記載のファイリングシステム。
【発明の詳細な説明】
【技術分野】
【０００１】
本発明は、被検体内の画像受信を行う受信装置に出力する患者情報を検索するためのファイリング装置およびファイリングシステムに関するものである。
【背景技術】
【０００２】
近年、内視鏡の分野では、撮像機能と無線通信機能とが装備されたカプセル型内視鏡が登場している。このカプセル型内視鏡は、観察（検査）のために被検体（人体）である被検者の口から飲み込まれた後、被検者の生体から自然排出されるまでの観察期間、たとえば胃、小腸などの臓器の内部（体腔内）をその蠕動運動に伴って移動し、撮像機能を用いて順次撮像する構成を有する。
【０００３】
また、これら臓器内を移動するこの観察期間、カプセル型内視鏡によって体腔内で撮像された画像データは、順次無線通信などの無線通信機能により、被検体の外部に送信され、外部の受信装置内に設けられたメモリに蓄積される。被検者がこの無線通信機能とメモリ機能を備えた受信装置を携帯することにより、被検者は、カプセル型内視鏡を飲み込んだ後、排出されるまでの観察期間であっても、不自由を被ることなく自由に行動が可能になる。観察後は、医者によって、受信装置のメモリに蓄積された画像データに基づいて、体腔内の画像をディスプレイなどの表示手段に表示させて診断を行うことができる（特許文献１参照）。
【０００４】
ところで、この受信装置では、画像データの受信を行う前に、被検者に特有の患者情報をたとえばファイリング装置などから取り込んで、以前の検査で取り込んだ情報を削除して、新たな患者情報を登録して初期設定を行ったり、被検者への取り付けの際に、被検者本人かどうかの照合などを行った後に、上記画像データの受信を可能にしていた。なお、この患者情報は、被検者を特定するための複数種類の情報から構成されており、入力手段によって一旦入力されると、ファイリング装置のデータベースに記憶されている。
【０００５】
【特許文献１】特開２００３−１９１１１号公報
【発明の開示】
【発明が解決しようとする課題】
【０００６】
しかしながら、特許文献１は、受信装置での画像データの受信に関して言及するだけで、この受信装置に設定する患者情報の入力をどのように行うかに関しては言及されておらず、ファイリング装置の利点を必ずしも有効活用できるものとはなっていない。
【０００７】
本発明は、上記に鑑みてなされたものであって、データベースに記憶された患者情報を迅速に取り出して、患者情報入力の省力化を図ることができるファイリング装置およびファイリングシステムを提供することを目的とする。
【課題を解決するための手段】
【０００８】
上述した課題を解決し、目的を達成するために、本発明にかかるファイリング装置は、被検者に固有の患者情報のうちの少なくとも１つの情報を入力する入力手段と、前記患者情報を記憶する記憶手段と、前記入力手段により入力する患者情報のうちの少なくとも１つの情報を検索条件として、前記記憶手段から該当する前記患者情報を検索する検索手段と、前記検索手段で検索された前記患者情報を表示する表示手段と、を備えることを特徴とする。
【０００９】
また、請求項２の発明にかかるファイリング装置は、上記発明において、前記患者情報を記憶する記憶手段が複数ある場合に、前記患者情報を検索する記憶手段を選択する選択手段を、さらに備えることを特徴とする。
【００１０】
また、請求項３の発明にかかるファイリング装置は、上記発明において、前記表示手段によって表示された患者情報を確認させるように制御する確認制御手段を、さらに備えることを特徴とする。
【００１１】
また、請求項４の発明にかかるファイリング装置は、上記発明において、前記検索手段は、前記入力手段による患者情報のうちの少なくとも１つの情報の入力中に、所定のタイミングで前記記憶手段から該当する前記患者情報を検索することを特徴とする。
【００１２】
また、請求項５の発明にかかるファイリングシステムは、患者情報のうちの少なくとも１つの情報を入力する第１の入力手段と、前記患者情報を記憶する第１の記憶手段と、前記第１の入力手段により入力する患者情報のうちの少なくとも１つの情報を検索条件として、前記第１の記憶手段から該当する前記患者情報を検索する第１の検索手段と、前記第１の検索手段で検索された前記患者情報を表示する第１の表示手段と、を有する第１のファイリング装置と、患者情報のうちの少なくとも１つの情報を入力する第２の入力手段と、前記患者情報を記憶する第２の記憶手段と、前記第２の入力手段により入力する患者情報のうちの少なくとも１つの情報を検索条件として、前記第２の記憶手段から該当する前記患者情報を検索する第２の検索手段と、前記患者情報を検索する前記第１または第２の記憶手段を選択する選択手段と、前記選択手段によって選択された前記第１または第２の記憶手段から検索された前記患者情報を表示する第２の表示手段と、を有する第２のファイリング装置と、前記第１のファイリング装置と前記第２のファイリング装置を電気的に接続させる接続手段と、を備えることを特徴とする。
【００１３】
また、請求項６の発明にかかるファイリングシステムは、上記発明において、前記第２の表示手段によって表示された患者情報を確認させるように制御する確認制御手段を、さらに備えることを特徴とする。
【００１４】
また、請求項７の発明にかかるファイリングシステムは、上記発明において、前記第１および第２の検索手段は、前記第２の入力手段による患者情報のうちの少なくとも１つの情報の入力中に、所定のタイミングで、前記選択手段によって選択された前記第１または第２の記憶手段から該当する前記患者情報を検索することを特徴とする。
【発明の効果】
【００１５】
本発明にかかるファイリング装置およびファイリングシステムは、入力手段により入力する患者情報のうちの少なくとも１つの情報を検索条件として、検索手段が記憶手段から該当する患者情報を検索し、この検索した患者情報を表示手段に表示させることで、データベース（記憶手段）に記憶された患者情報を迅速に取り出して、患者情報入力の省力化を図ることができるという効果を奏する。
【発明を実施するための最良の形態】
【００１６】
以下に、本発明にかかるファイリング装置およびファイリングシステムの実施の形態を図１〜図９の図面に基づいて詳細に説明する。なお、本発明は、これらの実施の形態に限定されるものではなく、本発明の要旨を逸脱しない範囲で種々の変更実施の形態が可能である。
【００１７】
（実施の形態１）
図１は、本発明にかかるファイリング装置（表示装置）の好適な実施の形態である無線型の被検体内情報取得システムの全体構成を示す模式図である。この被検体内情報取得システムは、被検体内導入装置の一例としてカプセル型内視鏡を用いている。図１において、無線型被検体内情報取得システムは、無線受信機能を有する受信装置２と、被検体１内に導入され、体腔内画像を撮像して受信装置２に対して映像信号などのデータ送信を行うカプセル型内視鏡（被検体内導入装置）３とを備える。また、無線型被検体内情報取得システムは、受信装置２が受信した映像信号に基づいて体腔内画像を表示する表示装置４と、受信装置２と表示装置４との間でデータの受け渡しを行うための通信ケーブル５とを備える。受信装置２は、被検体１によって着用される受信ジャケット２ａと、受信される無線信号の処理などを行う外部装置２ｂとを備える。
【００１８】
表示装置４は、カプセル型内視鏡３によって撮像された体腔内画像などを表示するためのものであり、通信ケーブル５を介して受信装置２から得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００１９】
通信ケーブル５は、通常、外部装置２ｂおよび表示装置４に対して着脱可能であって、両者に対して挿着された時に外部装置２ｂはデータ情報の入出力または記録が可能な構造を有する。この実施の形態では、通信ケーブル５は、受信装置２を初期化、たとえば以前の検査で受信装置２内の記憶部に記憶された画像データなどの古いデータの削除や、患者情報の登録を行うときに、外部装置２ｂと表示装置４間に接続され、表示装置４からのデータを外部装置２ｂに送信する。次に、初期化が終了すると、外部装置２ｂと表示装置４間から取り外され、両者の接続を断状態にする。カプセル型内視鏡３が被検体１の体腔内を移動している間は、両者の接続は断状態を維持する。
【００２０】
また、外部装置２ｂは、カプセル型内視鏡が無線送信したデータを受信し、記録する。そして、カプセル型内視鏡３が被検体１から排出された後、つまり、被検体１の内部の撮像が終了した後には、通信ケーブル５は、外部装置２ｂと表示装置４間に接続され、外部装置２ｂで記録されたカプセル型内視鏡３から送信されたデータが、この表示装置４によって、読み出される構成を有する。なお、本発明にかかる外部装置２ｂと表示装置４との通信は、上記通信ケーブル５に限らず、無線接続によって行うことも可能であり、またはデータの同期が可能なクレードルを用いて外部装置２ｂと表示装置４を接続させて通信することも可能である。この場合には表示装置とクレードルを通信ケーブルで接続し、このクレードル上に外部装置２ｂを載置させて、外部装置２ｂと表示装置４間でのデータ転送を行うように構成する。なお、患者情報は、検査日などの検査ＩＤや被検者の氏名、年齢、性別などの情報が含まれる。
【００２１】
次に、表示装置４の構成を説明する。図２は、本発明にかかる実施の形態１の表示装置の概略構成を示すブロック図である。図２において、表示装置４は、入力手段としての入力部２０と、記憶手段としてのデータベース３０と、表示手段としての表示部４０と、制御部５０と、他の機器との接続手段であるインターフェース６０とを備え、患者情報や画像情報などのデータ情報のファイリング機能を有する。
【００２２】
入力部２０は、キーボードやマウスなどのポインティングデバイスなどによって実現され、表示装置４の動作指示および表示装置４が行う処理の指示情報を入力し、各指示情報を制御部５０に送出している。また、入力部２０は、表示部４０の表示領域に表示された画像の中から所望の画像を選択する選択情報を入力する。たとえば、入力部２０のマウスを操作し、画面上に表示されたカーソルを、表示部４０の表示領域に表示された画像上に移動させて、所望の画像に対してボタンをクリックした場合、入力部２０は、この画像を選択するための選択情報としての指示情報を入力する。
【００２３】
また、入力部２０は、たとえばキーボードを操作し、受信装置２を初期化するための患者情報としての検査ＩＤや被検者の氏名、年齢、性別などの情報を入力し、この患者情報を制御部５０に送出している。さらに、入力部２０は、データベース３０に記憶されている患者情報を検索する場合、この患者情報のうちの１つの情報、たとえば被検者の氏名の情報を入力し、後述する制御部５０の検索部５１に送出している。
【００２４】
データベース３０は、たとえばハードディスク装置などによって実現され、各種画像などを保持するとともに、入力部２０から送出される患者情報を記憶および検索部５１による情報検索および読み出しを可能にしている。
【００２５】
表示部４０は、ＣＲＴディスプレイ、液晶ディスプレイなどによって実現され、入力部２０の指示情報あるいは指示結果などを表示する。また、表示部４０は、入力部２０から入力する患者情報の表示および入力部２０から入力する患者情報のうちの１つの情報をもとに、検索部５１で検索された患者情報を表示する。さらに、表示部４０は、データベース３０に格納された画像群における体腔内画像、指示情報によって指示された縮小画像（サムネイル画像）なども表示する。
【００２６】
制御部５０は、入力部２０、データベース３０、表示部４０の各処理または動作を制御する。制御部５０は、データベース３０に記憶されている患者情報を、検索する検索部５１を備える。検索部５１は、医師などのユーザが行う入力部２０のキーボードの操作によって入力される患者情報の中の被検者氏名の情報をもとに、該当する患者情報をデータベースに記憶されている患者情報の中から検索して、表示部４０に表示させる制御を行う。なお、ここで、同姓同名の被検者が複数いる場合には、該当する複数の患者情報を検索および表示して、ユーザが入力部２０のマウスの操作によって現に検査を行う被検者の患者情報を選択可能にする。また、検索キーとなる情報は、上記氏名に限らず、患者情報の氏名以外の他の１つの情報、たとえば年齢などの情報であっても無論かまわない。また、６０は、表示装置４と他の装置、たとえば受信装置２とを接続させるための入出力用のインターフェースである。
【００２７】
次に、表示装置４による患者情報の検索動作について、図３のフローチャートに基づいて説明する。図３は、実施の形態１の表示装置４による患者情報の検索動作を説明するためのフローチャートである。図３において、まず医師などユーザが入力部２０のキーボードを操作することによって行う患者情報の１つの情報、たとえば被検者氏名の入力が完了すると（ステップＳ１０１）、検索部５１は、この入力された被検者氏名をもとにデータベース３０内の患者情報を検索する（ステップＳ１０２）。
【００２８】
そして、該当する患者情報を検索すると、その検索結果である患者情報を表示部４０の表示領域に表示させる（ステップＳ１０３）。なお、上記入力される被検者氏名がない場合には、全ての患者情報、たとえば氏名の他に年齢、性別、検査ＩＤなどを入力させて、データベース３０に保存させる（ステップＳ１０４）。
【００２９】
また、表示装置４は、通信ケーブル５を介して受信装置２の外部装置２ｂと電気的に接続されており、外部装置２ｂと表示装置４間でデータの同期をとって、データの転送を可能にしている。この外部装置２ｂは、内部記憶媒体としての図示しないハードディスクを備えている。したがって、検査前には、外部装置２ｂと表示装置４とを通信ケーブル５で接続させ、ワークステーションの表示装置４から検索された患者情報が外部装置２ｂに転送されてハードディスクに保存される。
【００３０】
また、カプセル型内視鏡３が被検体１の体腔内を移動している間は、外部装置２ｂから通信ケーブル５が取り外され、外部装置２ｂは、被検体１に取り付けられて、カプセル型内視鏡３から送信されるデータを記録する。そして、被検体１の内部の撮像が終了した後には、外部装置２ｂを再び通信ケーブル５を介して表示装置４に接続させ、表示装置４によって、外部装置２ｂのハードディスクに記録されたデータ（画像情報）が読み出される。
【００３１】
このように、この実施の形態では、患者情報のうちの１つの情報を入力した段階で、検索部５１が該当する患者情報全体をデータベース３０から検索して、その検索結果を表示部４０に表示させるように制御するので、データベース３０に記憶された患者情報を迅速に取り出して、患者情報入力の省力化を図ることができる。
【００３２】
（変形例）
なお、実施の形態１では、患者情報のうちの１つの情報を入力し終えた段階で患者情報の検索を行ったが、本発明では、たとえば上記１つの情報の入力中、すなわち上記１つの情報の一部が入力されたタイミング段階で、検索部５１による検索を行うことも可能である。この変形例では、たとえば入力部２０から氏名のうちの名字が入力されたタイミング段階で、この検索の直前に検索した同じ名字の患者情報を、データベース３０から検索して表示部４０の表示領域に表示させるように制御する。なお、データベース３０の患者情報には、たとえば患者情報を検索したときの日時を示す履歴情報が付加されている。
【００３３】
図４は、表示装置４による患者情報の検索動作を説明するための実施の形態１の変形例のフローチャートである。なお、この変形例では、たとえば「山田花子」名の患者情報を検索する場合について説明する（以下の実施の形態においても同様とする）。
【００３４】
図４において、ユーザが入力部２０のキーボードを操作することによって行う患者情報の１つの情報、上記「山田花子」を入力する場合（ステップＳ２０１）、検索部５１は、「山田」の入力されたタイミング段階で（ステップＳ２０２）、履歴情報をもとにこの検索の直前に検索された「山田」名の患者情報を、データベース３０から検索して（ステップＳ２０３）、表示部４０の表示領域にこの検索した患者情報を表示させる（ステップＳ２０４）。なお、この変形例でも、上記入力される被検者氏名「山田花子」がない場合には、全ての患者情報、たとえば氏名の他に年齢、性別、検査ＩＤなどを入力させて、データベース３０に保存させる（ステップＳ２０５）。
【００３５】
このように、この変形例では、患者情報のうちの１つの情報のさらに一部が入力されたタイミング段階で、検索部５１が該当する患者情報をデータベース３０から検索して、その検索結果を表示部４０に表示させるように制御するので、データベース３０に記憶された患者情報をさらに迅速に取り出して、患者情報入力の省力化を図ることができる。
【００３６】
（実施の形態２）
図５は、本発明にかかる実施の形態２のファイリングシステムの概略構成を示すブロック図である。図５において、この実施の形態の表示装置４が実施の形態１の表示装置と異なる点は、システム内に複数のデータベースがある場合、制御部５０内に患者情報を検索するデータベースを選択する選択手段としての選択部５２を設ける点と、インターフェース６０を介して患者情報を記憶するサーバ６と接続されている点である。
【００３７】
この実施の形態において、表示装置４は、本発明にかかる第２のファイリング装置を構成し、サーバ６は、本発明にかかる第１のファイリング装置を構成している。表示装置４は、選択部５２の他に、実施の形態１の表示装置と同様の機能を有する第２の入力手段としての入力部２０、第２の記憶手段としてのデータベース３０、第２の表示手段としての表示部４０、制御部５０、第２の検索手段としての検索部５１、インターフェース６０を備える。選択部５２は、自装置内のデータベース３０とサーバ６内のデータベース３１に対して、患者情報を検索するためのデータベースを選択するためのもので、この実施の形態では、検索によって情報ヒット率が高い自装置内のデータベース３０を一番に選択して、該当する患者情報がない場合に、データベース３１の選択を行っている。
【００３８】
サーバ６は、実施の形態１に示した表示装置４と同様の機能を有する第１の入力手段としての入力部２１、第１の記憶手段としてのデータベース３１、第１の表示手段としての表示部４１、制御部７０、第１の検索手段としての検索部７１、インターフェース６１を備える。検索部７１は、選択部５２によってデータベース３１が検索対象に選択された場合に、入力部２０から入力された患者情報のうちの１つの情報の一部をもとに、データベース３１から該当する患者情報を検索し、検索結果である患者情報をインターフェース６１を介して表示装置４に出力する（実施の形態１の変形例と同様の機能を有する）。また、検索部７１は、入力部２１から患者情報が入力された場合も、その１つの情報の一部をもとに、データベース３１から該当する患者情報を検索し、検索結果である患者情報を表示部４１の表示領域に表示するように制御する。
【００３９】
次に、ファイリングシステムによる患者情報の検索動作を図６のフローチャートに基づいて説明する。図６は、実施の形態２のファイリングシステムによる患者情報の検索動作を説明するためのフローチャートである。図６において、まずユーザが入力部２０のキーボードを操作することによって行う患者情報の１つの情報、上記「山田花子」を入力する場合（ステップＳ３０１）、検索部５１は、「山田」の入力が完了すると（ステップＳ３０２）、選択部５２は、自装置内のデータベース３０を検索対象として選択する（ステップＳ３０３）。
【００４０】
次に、検索部５１は、選択部５２によるデータベース３０の選択に対して、履歴情報をもとにこの検索の直前に検索された「山田」名の患者情報を、データベース３０から検索して（ステップＳ３０４）、表示部４０の表示領域にこの検索した患者情報を表示させる（ステップＳ３０５）。
【００４１】
ここで、患者情報が検索されないと、選択部５２は、ステップＳ３０３において、データベース３１を検索対象として選択する。この選択情報は、インターフェース６０を介してサーバ６に伝送され、サーバ６の検索部７１は、選択部５２によるデータベース３１の選択に対して、履歴情報をもとにこの検索の直前に検索された「山田」名の患者情報を、データベース３１から検索して（ステップＳ３０４）、検索結果である患者情報をインターフェース６１を介して表示装置４に伝送する。
【００４２】
表示装置４の検索部５１は、この患者情報を取り込むと、表示部４０の表示領域にこの検索した患者情報を表示させるとともに（ステップＳ３０５）、この患者情報をデータベース３０に記憶させる（ステップＳ３０６）。なお、この実施の形態でも、上記入力される被検者氏名「山田花子」がない場合には、たとえばサーバ６から表示装置４へ検索対象がない旨の検索結果を伝送し、この検索結果に基づいて制御部５０が全ての患者情報、たとえば氏名の他に年齢、性別、検査ＩＤなどを入力させて、データベース３０に保存させる（ステップＳ３０６）。
【００４３】
このように、この実施の形態では、システム内に複数のデータベースが存在する場合に、選択部が検索対象となるデータベースの選択を行った後に、患者情報の検索を行うので、実施の形態１と同様の効果を奏するとともに、複数のデータベースから必要な患者情報を確実に取り出すことができる。
【００４４】
（実施の形態３）
図７は、本発明にかかる実施の形態３のファイリングシステムの概略構成を示すブロック図であり、図８は、実施の形態３のファイリングシステムによる患者情報の検索動作を説明するためのフローチャートであり、図９は、表示装置４の表示部４０に表示される患者情報の一例を示す図である。図７において、この実施の形態が実施の形態２と異なる点は、表示装置４の制御部５０内に患者情報の確認を制御するための確認制御手段としての確認制御部５３を備える点である。確認制御部５３は、図９に示すように、表示部４０の表示領域４２に被検者の特徴を示す患者情報として、氏名[ＮＡＭＥ]と年齢[Ａｇｅ]と性別[Ｓｅｘ]と検査ＩＤ[ＩＤ]とを表示させるとともに、ユーザに上記患者情報を確認させるための確認用ボタン４３とを表示させる制御を行う。
【００４５】
確認用ボタン４３が、たとえば入力部２０のマウスを操作し、画面上のカーソルを移動させて、右クリックされた場合に、患者情報の確認を示す確認情報が確認制御部５３に入力される。確認制御部５３は、確認情報が入力すると、ユーザによる患者情報の確認がなされたと判断する。
【００４６】
次に、ファイリングシステムによる患者情報の検索動作を図８のフローチャートに基づいて説明する。図８において、まずユーザが入力部２０のキーボードを操作することによって行う患者情報の１つの情報、上記「山田花子」を入力する場合（ステップＳ４０１）、検索部５１は、「山田」の入力が完了すると（ステップＳ４０２）、選択部５２は、実施の形態２と同様に、自装置内のデータベース３０を検索対象として選択する（ステップＳ４０３）。
【００４７】
次に、検索部５１は、選択部５２によるデータベース３０の選択に対して、履歴情報をもとにこの検索の直前に検索された「山田」名の患者情報を、データベース３０から検索して（ステップＳ４０４）、表示部４０の表示領域にこの検索した患者情報とともに、確認用ボタン４３（図９参照）を表示させる（ステップＳ４０５）。
【００４８】
そして、入力部２０のマウスを操作し、画面上のカーソルを移動させて、確認用ボタン４３が右クリックされる確認動作が行われると（ステップ４０６）、上記患者情報のみを画面上に表示させる（ステップＳ４０７）。
【００４９】
ここで、患者情報が検索されないと、選択部５２は、ステップＳ４０３において、データベース３１を検索対象として選択する。この選択情報は、インターフェース６０を介してサーバ６に伝送され、サーバ６の検索部７１は、選択部５２によるデータベース３１の選択に対して、履歴情報をもとにこの検索の直前に検索された「山田」名の患者情報を、データベース３１から検索して（ステップＳ４０４）、検索結果である患者情報を、インターフェース６１を介して表示装置４に伝送する。
【００５０】
表示装置４の検索部５１は、この患者情報を取り込むと、表示部４０の表示領域にこの検索した患者情報とともに、確認用ボタン４３を表示させる（ステップＳ４０５）。そして、入力部２０のマウスを操作し、画面上のカーソルを移動させて、確認用ボタン４３が右クリックされる確認動作が行われると（ステップ４０６）、上記患者情報のみを画面上に表示させるとともに（ステップＳ４０７）、この患者情報をデータベース３０に記憶させる（ステップＳ４０８）。なお、この実施の形態でも、上記入力される被検者氏名「山田花子」がない場合には、全ての患者情報、たとえば氏名の他に年齢、性別、検査ＩＤなどを入力させて、データベース３０に保存させる（ステップＳ４０８）。
【００５１】
このように、この実施の形態では、実施の形態２と同様の効果を奏するとともに、検索した患者情報の確認を行うので、患者情報の取り違いを防ぎ、検索した患者情報の信頼性を向上させることができる。
【図面の簡単な説明】
【００５２】
【図１】本発明にかかるファイリング装置（表示装置）の好適な実施の形態である無線型の被検体内情報取得システムの全体構成を示す模式図である。
【図２】本発明にかかる実施の形態１の表示装置の概略構成を示すブロック図である。
【図３】実施の形態１の表示装置による患者情報の検索動作を説明するためのフローチャートである。
【図４】表示装置による患者情報の検索動作を説明するための実施の形態１の変形例のフローチャートである。
【図５】本発明にかかる実施の形態２のファイリングシステムの概略構成を示すブロック図である。
【図６】実施の形態２のファイリングシステムによる患者情報の検索動作を説明するためのフローチャートである。
【図７】本発明にかかる実施の形態３のファイリングシステムの概略構成を示すブロック図である。
【図８】実施の形態３のファイリングシステムによる患者情報の検索動作を説明するためのフローチャートである。
【図９】表示装置の表示部に表示される患者情報の一例を示す図である。
【符号の説明】
【００５３】
１  被検体
２  受信装置
２ａ  受信ジャケット
２ｂ  外部装置
３  カプセル型内視鏡
４  表示装置
５  上記通信ケーブル
６  サーバ
２０，２１  入力部
３０，３１  データベース
４０，４１  表示部
４２  表示領域
４３  確認用ボタン
５０，７０  制御部
５１，７１  検索部
５２  選択部
５３  確認制御部
６０，６１  インターフェース
【図１】
2007058334.tif 000003
【図２】
2007058334.tif 000004
【図３】
2007058334.tif 000005
【図４】
2007058334.tif 000006
【図５】
2007058334.tif 000007
【図６】
2007058334.tif 000008
【図７】
2007058334.tif 000009
【図８】
2007058334.tif 000010
【図９】
2007058334.tif 000011